(57)【要約】【課題】厚さの異なる様々な胴縁に対しても、外装パネルと外壁本体の隙間に虫等の侵入を確実且つ容易に防止できる汎用性に優れた外装パネル用役物を提供すること。【解決手段】胴縁５を介して後方の外壁本体６に固定される固定部４とこの固定部４の下端４bから前方に延設されて外装パネル２の下方部２aを保持する受け部７とからなる外装パネル保持片１１と、この外装パネル保持片１１から後方に向かって延設されるとともに、開口部１３が形成されたカバー片１２とを有し、全体が外壁本体６の左右方向に長尺である外装パネル用役物１であって、前記カバー片１２は、長尺方向にわたって屈曲部１２aを有し、この屈曲部１２aにおける屈曲にともなって、カバー片１２の後方先端部１２bの上下動を可能とする。【選択図】図１
2011094328.tif 000002
【特許請求の範囲】
【請求項１】
胴縁を介して後方の外壁本体に固定される固定部とこの固定部の下端から前方に延設されて外装パネルの下方部を保持する受け部とからなる外装パネル保持片と、この外装パネル保持片から後方に向かって延設されるとともに開口部が形成されたカバー片とを有し、全体が外壁本体の左右方向に長尺である外装パネル用役物であって、前記カバー片は、長尺方向にわたって屈曲部を有し、この屈曲部における屈曲にともなって、カバー片の後方先端部の上下動が可能とされていることを特徴とする外装パネル用役物。
【請求項２】
請求項１の外装パネル用役物を介した外装パネルの取付構造であって、固定部が胴縁を介して後方の外壁本体に固定されるとともに、受け部によって外装パネルの下方部が保持され、カバー片の屈曲部における屈曲にともなって、カバー片の後方先端部が外壁本体面と当接することで、胴縁の下端部が覆われることを特徴とする外装パネルの取付構造。
【発明の詳細な説明】
【技術分野】
【０００１】
本発明は、外装パネルを外壁本体に取付けるための外装パネル用役物と外装パネルの取付構造に関する。
【背景技術】
【０００２】
従来、外装パネル用役物として、スタータと呼ばれる金属留め具が知られている（例えば、特許文献１）。例えば、図３に示すように、外装パネル用役物（スタータ）１を介した外装パネル２の取付構造としては、釘等の固着具３を用いて、垂直な固定部４を胴縁５を介して後方の外壁本体６に固定し、固定部４の下端から前方に延設された受け部７によって外装パネル２の下方部２aを保持する構造が一般的である。また、図３の例では、水切り部材８を胴縁５と外壁本体６の間に配置し、雨水を外側に排出するようにしている。
【０００３】
ただ、図３に例示する構造においては、外装パネル２と外壁本体６の間の通気性を確保するために、胴縁５と水切り部材８の間に隙間９aを設け、また、複数の胴縁５を縦張りして隣接する胴縁５間にも隙間９bを設けている。このため、図中の矢印Ｐに沿って空気が隙間９bを通るとともに、この隙間９bに虫や小動物等が侵入するという問題があった。
【０００４】
この問題を解決するために、例えば、図４に例示するように、胴縁５の下端部５aを防虫網１０で被覆することが考えられた。しかしながら、この場合、別途、胴縁５の大きさに合わせた防虫網１０を作成する必要があるためコストがかかるとともに、外観が悪く、また、施工に手間がかかるという問題を有していた。
【０００５】
このような状況において、外装パネルと外壁本体の間の通気性を確保しつつ、虫等の侵入を防ぐことのできる外装パネル用役物が提案されている（特許文献２）。
【０００６】
図５に示すように、特許文献２の外装パネル用役物１は、第一垂直材３０ａと第二垂直材３０ｃがそれぞれの下端部を第一水平材３０ｂで連結して成る断面略Ｕ字形状の長尺材で形成されている。そして、胴縁３１の下端面３１ａを覆う第二水平材３０ｅの一端部に第三垂直材３０ｄが連結され、この第三垂直材３０ｄは第二垂直材３０ｃに沿ってその上端部が第二垂直材３０ｃの上端部に連結されている。また、第二水平材３０ｅには通気孔３２が形成されている。さらに、第二水平材３０ｅには、その下面から通気孔３２を覆うカバー材３３を備え、このカバー材３３には開口部３４が外壁本体３５に向けて設けられている。
【０００７】
しかしながら、特許文献２の外装パネル用役物１は、外装パネル２内側の通気性および虫等の侵入防止効果には一定の効果を発揮するものの、カバー材３３を備えることから複雑な構造となり、製作コストが高くなるという問題があった。
【０００８】
さらに、この外装パネル用役物１は、所定の厚さよりも胴縁３１が薄い場合には、第二水平材３０ｅの端部が邪魔になるため外装パネル２の取付けが難しかった。一方、所定の厚さよりも胴縁３１が厚い場合には、第二水平材３０ｅの端部と外壁本体３５または水切り部材３６との間に隙間が生じ、虫等の侵入防止効果が十分に発揮されない場合があった。したがって、特許文献２の外装パネル用役物１は、第二水平材３０ｅの長さを胴縁３１の厚さと略等しく形成する必要があり、厚さの異なる様々な胴縁３１に対応することが難しいという汎用面での問題を有していた。
【先行技術文献】
【特許文献】
【０００９】
【特許文献１】特開2004-197412号公報
【特許文献２】特開2008-267073号公報
【発明の概要】
【発明が解決しようとする課題】
【００１０】
そこで、本発明は、以上のとおりの背景から、従来の問題点を解消して、外装パネル内側の通気性を確保し、さらに、厚さの異なる様々な胴縁に対しても、外装パネルと外壁本体の隙間への虫等の侵入を確実且つ容易に防止できる汎用性に優れた外装パネル用役物と外装パネルの取付構造を提供することを課題としている。
【課題を解決するための手段】
【００１１】
本発明の外装パネル用役物および外装パネルの取付構造は、上記課題を解決するため、以下のことを特徴としている。
【００１２】
第１に、本発明の外装パネル用役物は、胴縁を介して後方の外壁本体に固定される固定部とこの固定部の下端から前方に延設されて外装パネルの下方部を保持する受け部とからなる外装パネル保持片と、この外装パネル保持片から後方に向かって延設されるとともに、開口部が形成されたカバー片とを有し、全体が外壁本体の左右方向に長尺である外装パネル用役物であって、前記カバー片は、長尺方向にわたって屈曲部を有し、この屈曲部における屈曲にともなって、カバー片の後方先端部の上下動が可能とされている。
【００１３】
第２に、本発明の外装パネルの取付構造は、前記の外装パネル用役物を介した外装パネルの取付構造であって、固定部が胴縁を介して後方の外壁本体に固定されるとともに、受け部によって外装パネルの下方部が保持され、カバー片の屈曲部における屈曲にともなって、カバー片の後方先端部が外壁本体面と当接することで、胴縁の下端部が覆われる。  
【発明の効果】
【００１４】
本発明によれば、外装パネル内側の通気性が確保され、また、厚さの異なる様々な胴縁に対しても、外装パネルと外壁本体との間の隙間への虫等の侵入を確実且つ容易に防止できる。
【図面の簡単な説明】
【００１５】
【図１】本発明の外装パネル用役物を用いた外装パネルの取付構造を例示する断面概要図である。
【図２】（Ａ）は、本発明の外装パネル用役物を例示する側面図であり、（Ｂ）は、（Ａ）の矢印Ｓ方向から見たカバー片を示す上面図である。
【図３】従来の外装パネルの取付構造の一例を示す断面図である。
【図４】胴縁下端部に防虫網を取付ける形態を例示する断面図である。
【図５】従来の外装パネルの取付構造の異なった一例を示す断面図である。
【発明を実施するための形態】
【００１６】
本発明の実施形態について、図面を用いて説明する。
【００１７】
図１は、本発明の外装パネル用役物を用いた外装パネルの取付構造を例示する断面概要図である。図２（Ａ）は、本発明の外装パネル用役物を例示する側面図であり、図２（Ｂ）は、（Ａ）の矢印Ｓ方向から見たカバー片を示す上面図である。
【００１８】
図１、図２に示すように、本発明の一実施形態としての外装パネル用役物１は、外装パネル２の下方部２ａを保持するとともに、建物の外壁本体６に胴縁５を介して取付けられるものであり、具体的には、外装パネル保持片１１およびカバー片１２を有し、全体が外壁本体６の左右方向に長尺な形状からなるものである。
【００１９】
外装パネル保持片１１は、釘等の固着具３によって胴縁５を介して後方の外壁本体６に固定される固定部４と、前記固定部４の下端４bから前方に延設されて外装パネル２の下方部２aを保持する受け部７とによって構成される。固定部４の垂直方向の長さや、水平方向の長さは、固着具３によって安定的に固定され得る範囲で適宜決定することができる。同様に、受け部７の垂直方向の長さや、水平方向の長さ、幅等も外装パネル２を安定的に保持することができる範囲で適宜決定することができる。
【００２０】
固定部４の形状は、略垂直な板状とすることができ、固着具３によって胴縁５の下端部５aの前面と当接状態で固定される。固定部４の先端４aは、図２に例示するように、折り重ね部等を設けてもよい。
【００２１】
受け部７の形状は、外装パネル２の下方部２aを安定的に保持することができる形状であればよく、具体的な形状に限定されない。例えば、図１に例示するように、外装パネル２の下方部２aに凹部が形成された形態のものを取付ける場合には、詳しくは図２に例示するように、固定部４から延設される受け部７を水平部７aと垂直部７bによって構成することで、垂直な固定部４と受け部７の垂直部７bの間に、外装パネル下方部２aの凹部の一部を挟み込んで保持することができる。また、図２に示す例においては、受け部７は、固定部４から延設されるとともに受け部７の先端で折り返す構造であるため、金属板が二重に折り重なって形成されている。これによって、外装パネル２の下方部２aを保持するために十分な強度が確保されている。一方、下方部２aに凹部が形成されていない外装パネル２の場合には、例えば、受け部７の垂直部７bが外装パネル２の前面と当接するようにして外装パネル２の下方部２aを保持することができる。このように、受け部７の形状は、外装パネル２の下方部２aの形状に応じて適宜設計することができる。
【００２２】
そして、本発明の外装パネル用役物は、カバー片に大きな特徴を有している。
【００２３】
図１、図２に示されるように、カバー片１２は、外装パネル保持片１１から後方に向かって延設されている。すなわち、カバー片１２は、外装パネル保持片１１の固定部４または受け部７から延設される。図１、図２は、受け部７からカバー片１２が延設される形態を例示しており、受け部７の垂直部７bの先端で折り返した金属板が水平部７aの下方を通って、そのまま後方へ、すなわち、外壁本体６側へ向かって延設されている。また、図示してはいないが、例えば、外装パネル保持片１１の固定部４の下端４ｂから、後方へカバー片１２を延設することもできる。図１、図２に例示するように、受け部７の先端で折り返した金属板がそのまま後方へ延びてカバー片１２を形成する形態は、受け部７が二重の金属板で構成されることから強度が高く、安定に外装パネル２を保持することができる。また、外装パネル用役物１全体を一枚の金属板を曲げ加工等することによって形成することができるため、製作コストを安価に抑えることができる。
【００２４】
さらに、本発明の外装パネル用役物１のカバー片１２は、外壁本体６の左右方向にわたって屈曲部１２aを有している。
【００２５】
具体的には、図１、２に例示するように、屈曲部１２aは、外装パネル保持片１１の固定部４から外壁本体６側への所定位置においてカバー片１２を上方へ屈曲させることで形成され、施工後は、屈曲部１２aは胴縁５の下方に位置することになる。本発明の外装パネル用役物１として、屈曲が容易な材料を使用すれば、屈曲部１２aに特殊な加工は必要ないが、必要に応じて、後述するカバー片１２の後方先端部１２bの上下動を容易にするための加工を屈曲部１２aに施してもよい。
【００２６】
屈曲部１２aより前方、すなわち外装パネル保持片１１側には、水平部１２cを形成することができ、例えば、この水平部１２cには、図２（Ｂ）に例示するように、複数の開口部１３を外壁本体６の左右方向にわたって形成することができる。なお、開口部１３の数、位置、形状、大きさは、通気性を確保しつつ、開口部１３から虫等が侵入できないように設計することができ、図２（Ｂ）に例示する形態に限定されない。開口部１３の具体的な形状としては、例えば、円形、矩形等に適宜設計することができるが、図１（Ｂ）に例示するような幅小の楕円型の開口部１３は、特に通気性が高く、また、虫等の侵入もより確実に防止することができるため好ましい。
【００２７】
また、カバー片１２には、開口部１３とは別に、雨水を外部へ排出するための水抜き孔（図示していない）を設けることもできる。一方、前記開口部１３によって排水機能を担わせることもでき、この場合、開口部１３の形成位置は、前記カバー片１２の水平部１２cが好ましい。カバー片１２の水平部１２cに開口部１３を設けることで、外壁本体６、胴縁５から下方へ流れ落ちる雨水の一部は、カバー片１２の上面に達した後、開口部１３から下方へ流れ出やすい構造となる。流れ出た水は、例えば、水切り部材８を介して外壁の外側へ向かう。
【００２８】
そして、図１、図２に例示するように、通常、カバー片１２の後方先端部１２bは、屈曲部１２aから外壁本体６方向の斜め上を向いて屈曲させたものとすることができる。カバー片１２の後方先端部１２bを下方へ屈曲させることもできるが、この場合、カバー片１２が外部に露出する恐れがあり、美観を害するため好ましくない。屈曲部１２aにおける屈曲角度の変化にともなって、図２（Ａ）の矢印Ｘに例示するように、屈曲部１２aを基点としたカバー片１２の後方先端部１２bの上下動が可能である。そして、図２（Ａ）の矢印Ｙは、矢印Ｘの範囲でカバー片１２の後方先端部１２bが上下動させた場合の、カバー片１２の後方先端部１２bの水平方向の移動範囲を示している。なお、カバー片１２の後方先端部１２bの上下動の範囲は、胴縁５の厚さ、胴縁５の下端部５aの位置と関係するが、目安としては、屈曲部１２aを基準として、およそ０°（水平）から６０°程度が考慮される。前記のとおり、本発明の外装パネル用役物１は、カバー片１２が屈曲可能である点で従来とは異なり、このような特徴から、施工時には、胴縁５の下端部５aを従来よりもやや持ち上げた状態で固定することで、カバー片１２の後方先端部１２bの上下動を可能とするための空間を確保することが考慮される。
【００２９】
さらに、カバー片１２は、後方先端部１２bまでの長さが、少なくとも、胴縁５の厚さよりも大きく形成される。これによって、カバー片１２の後方先端部１２bの上下動による胴縁５の厚さへの対応が可能であり、カバー片１２の先端部１２bを水切り部材８を含む外壁本体６と当接または、ほぼ当接状態とすることができる。
【００３０】
このように、本発明の外装パネル用役物１は、屈曲部１２aを基点としたカバー片１２の後方先端部１２bの上下動によって、図２（Ａ）の矢印Ｙに示すように、カバー片１２の後方先端部１２bの位置を、胴縁５の厚さ方向に調整可能であるため、胴縁５の厚さに関わらずカバー片１２の後方先端部１２bを外壁本体６と当接または、ほぼ当接状態とすることができ、カバー片１２の後方先端部１２bと外壁本体６面との間に隙間が生じることなく胴縁５の下端部５aを覆うことができる。例えば、胴縁５が薄い場合には、カバー片１２の後方先端部１２bを外壁本体６面に押し付けることで、図２（Ａ）の点線に示すように、屈曲部１２aにおいて、カバー片１２の後方先端部１２bを上方（前方）へ屈曲変形させることができるため、カバー片１２の後方先端部１２bまでの長さが問題になることがなく、カバー片１２の後方先端部１２bと外壁本体６面との間に隙間が生じることなく胴縁５の下端部５aを覆うことができる。一方、例えば、胴縁５が厚い場合には、カバー片１２の後方先端部１２bを下方へ屈曲変形させることで、外壁本体６との隙間を調整することができるため、前記と同様に、胴縁５の下端部５aを覆うことができる。
【００３１】
このように、本発明の外装パネル用役物１によれば、厚さの異なる様々な胴縁５に対しても、カバー片１２の後方先端部１２bと外壁本体６との間に隙間を生じさせることがなく、また、開口部１３も虫等の侵入ができないように設計されていることで、確実に虫等の侵入を防止することができる。一方で、開口部１３によって外装パネル２内側の通気性は確保される。したがって、本発明の外装パネル用役物１は、汎用性に優れ、製品価値が高い。
【００３２】
なお、本発明の外装パネル用役物１は、例えば、板厚０．３５ｍｍ程度の薄厚鋼板を加工して、外装パネル保持片１１とカバー片１２とが一体形成されるが、両表面にアルミ・亜鉛合金メッキを施し、さらに表面側となる面にフッ素樹脂塗装、裏面側にポリエステル樹脂塗装が施すこと等が考慮される。ただ、外装パネル保持片１１とカバー片１２の厚さは必ずしも均一とする必要はなく、図２に例示するように、外装パネル保持片１１を厚く形成することで、外装パネル２の重量に耐え得るものとすることができる。
【００３３】
また、図２に例示するように、例えば、固定部４の先端部４aやカバー片１２の後方先端部１２bに折り返し部を設ける等、その他の細部については、様々な形態が可能である。
【符号の説明】
【００３４】
１  外装パネル用役物
２  外装パネル
２a  下方部
４  固定部
４a  先端
４b  下端
５  胴縁
５a  下端部
６  外壁本体
７  受け部
７a  水平部
７b  垂直部
１１  外装パネル保持片
１２  カバー片
１２a  屈曲部
１２b  後方先端部
１２c  水平部
１３  開口部
【図１】
2011094328.tif 000003
【図２】
2011094328.tif 000004
【図３】
2011094328.tif 000005
【図４】
2011094328.tif 000006
【図５】
2011094328.tif 000007